(57)【要約】【課題】紙幣とカード状記録媒体の双方を使用可能な遊技媒体処理装置において、両遊技媒体の処理が互いに干渉することのない遊技媒体処理装置を提供する。【解決手段】遊技媒体処理装置３０は、紙幣が挿入可能な紙幣挿入口３５と、挿入された紙幣の有効性を識別する紙幣識別部３７とを備えた紙幣処理ユニット３０Ａと、カード状記録媒体の排出が可能なカード処理口３６と、カード状記録媒体に遊技価値に関する情報の書き込み、及び／又は読取りが可能なカードリーダライタ５５とを備えたカード処理ユニット３０Ｂと、カード処理ユニットでカード状記録媒体の処理中は、紙幣処理ユニットで紙幣の処理を停止する制御回路基板４７と、を有する。【選択図】    図４
2005296255.tif 000002
【特許請求の範囲】
【請求項１】
紙幣が挿入可能な紙幣挿入口と、挿入された紙幣の有効性を識別する紙幣識別部とを備えた紙幣処理ユニットと、
カード状記録媒体の排出が可能なカード処理口と、カード状記録媒体に遊技価値に関する情報の書き込み、及び／又は読取りが可能な記録媒体処理部とを備えたカード処理ユニットと、
前記カード処理ユニットでカード状記録媒体の処理中は、前記紙幣処理ユニットで紙幣の処理を停止する制御手段と、
を有することを特徴とする遊技媒体処理装置。
【請求項２】
前記制御手段は、前記紙幣処理ユニットで紙幣の処理中、前記カード処理ユニットでカード状記録媒体の処理を停止することを特徴とする請求項１に記載の遊技媒体処理装置。
【請求項３】
前記紙幣処理ユニットは、紙幣挿入口の紙幣の挿入を検知するセンサと、紙幣の挿入の検知に基づいて紙幣を搬送する搬送ローラを備えており、
前記制御手段は、前記カード処理ユニットでカード状記録媒体の処理中、前記搬送ローラの駆動を実行しないことを特徴とする請求項１又は２に記載の遊技媒体処理装置。
【請求項４】
紙幣が挿入可能な紙幣挿入口と、挿入された紙幣の有効性を識別する紙幣識別部とを備えた紙幣処理ユニットと、
カード状記録媒体の排出が可能なカード処理口と、カード状記録媒体に遊技価値に関する情報の書き込み、及び／又は読取りが可能な記録媒体処理部とを備えたカード処理ユニットと、
を組み込んだ筐体を有する遊技機であって、
前記紙幣処理ユニットで紙幣の処理中は、前記カード処理ユニットでカード状記録媒体の処理を停止し、前記カード処理ユニットでカード状記録媒体の処理中は、前記紙幣処理ユニットで紙幣の処理を停止する制御手段を備えたことを特徴とする遊技機。
【発明の詳細な説明】
【技術分野】
【０００１】
本発明は、スロットマシン、弾球遊技、カードゲーム等、各種の遊技が行なえる遊技機に関連するものであり、詳細には、遊技を行なう際に用いられる遊技媒体（紙幣やカード状の情報記録媒体）を識別、処理する遊技媒体処理装置、及びそのような遊技媒体処理装置を組み込んだ遊技機に関する。
【背景技術】
【０００２】
上記したような遊技機には、遊技を行なう際に使用される紙幣、及びカード状の情報記録媒体を識別、処理する遊技媒体処理装置を組み込んだものが知られている。例えば、特許文献１には、スロットマシンのような遊技機に隣接して配置され、紙幣を受け付けると共に、遊技終了の際に精算ボタンを押すことで、遊技媒体情報（ペイアウト情報）が書き込まれたカード状の記録媒体（ＩＣカード）を発券する遊技媒体処理装置が開示されている。
【０００３】
このように、紙幣の処理を行なうユニット（紙幣処理ユニット）に加え、カード状記録媒体の処理を行なうユニット（カード処理ユニット）を設けることにより、例えば、従来のペイアウト情報を紙で出力していた構成と比較すると、紙の補充をする手間が省け、また、セキュリティの向上が図れるという利点が得られ、さらには、必要に応じてカードを発券する等、遊技者が遊技を行なう上で、利便性の向上が図れるようになる。
【特許文献１】特開２００１−１７８９５３号
【発明の開示】
【発明が解決しようとする課題】
【０００４】
上記したように、遊技者に対する利便性を向上するために紙幣処理ユニットにカード処理ユニットを一つの筐体に組み込む場合、遊技者が、錯誤等によって両遊技媒体の処理動作を実行することがある。例えば、遊技者が精算ボタンを押すことで、ペイアウト情報が書き込まれたカードを発券しようとした際、引き続いて遊技者が紙幣を挿入すると、その紙幣は遊技を実行する意図をもって挿入されたものか、発券されるカードに、挿入した紙幣価値に応じた遊技媒体情報の書き込みを意図して挿入されたものか、或いは単に誤って挿入されたものか等が考えられ、この行為を一義的に判断することはできない。逆に、遊技者が紙幣を挿入した状態で引き続き精算ボタンを押下すると、その紙幣価値に応じた遊技媒体情報の書き込みを意図した操作なのか、或いは、単に誤って精算ボタンを押下してしまったのか等が考えられ、この行為を一義的に判断することはできない。
【０００５】
従来では、一つの遊技媒体を処理している間に、別の遊技媒体の処理行為を行なうと、その行為も受け付けるようになっていることから、遊技者の意図とは異なった処理を行なってしまうことも考えられ、遊技者の利便性が損なわれてしまう。また、二つの遊技媒体を平行して処理（同時処理）すると、遊技媒体が物理的に干渉したり、制御も干渉して複雑化することも考えられ、好ましくはない。
【０００６】
この発明は、上記した問題に基づいてなされたものであり、紙幣とカード状記録媒体の双方を使用可能な遊技媒体処理装置において、両遊技媒体の処理が互いに干渉することのない遊技媒体処理装置、及びそのような遊技媒体処理装置を組み込んだ遊技機を提供することを目的とする。
【課題を解決するための手段】
【０００７】
上記した目的を達成するために、請求項１に係る遊技媒体処理装置は、紙幣が挿入可能な紙幣挿入口と、挿入された紙幣の有効性を識別する紙幣識別部とを備えた紙幣処理ユニットと、カード状記録媒体の排出が可能なカード処理口と、カード状記録媒体に遊技価値に関する情報の書き込み、及び／又は読取りが可能な記録媒体処理部とを備えたカード処理ユニットと、前記カード処理ユニットでカード状記録媒体の処理中は、前記紙幣処理ユニットで紙幣の処理を停止する制御手段と、を有することを特徴とする。
【０００８】
上記した遊技媒体処理装置によれば、それが装着されている遊技機側において、遊技者が遊技の精算をすべく、例えば精算ボタンを押下すると、カード処理ユニットにおいて、カード状記録媒体に遊技媒体情報の書き込み処理が行なわれ、遊技者に対してカード処理口を介して発券される。そして、この発券処理が行なわれている間、前記紙幣処理ユニットでは紙幣を処理しない（受け付けない）ので、双方の遊技媒体が搬送経路上で干渉（衝突等）したり、制御処理が干渉することもなく、更には、遊技者の意図と異なった処理を実行することも防止される。
【０００９】
また、請求項２に係る発明では、前記制御手段は、前記紙幣処理ユニットで紙幣の処理中、前記カード処理ユニットでカード状記録媒体の処理を停止することを特徴とする。
【００１０】
このような構成によれば、遊技者が紙幣を紙幣挿入口に挿入している際、例えば誤って精算ボタンを押下しても、カード処理ユニットはカード状記録媒体の処理（発券処理等）を行なうことはないので、双方の遊技媒体が搬送経路上で干渉（衝突等）したり、制御処理が干渉することもなく、更には、遊技者の意図と異なった処理を実行することも防止される。
【００１１】
また、請求項３に係る発明では、前記紙幣処理ユニットは、紙幣挿入口の紙幣の挿入を検知するセンサと、紙幣の挿入の検知に基づいて紙幣を搬送する搬送ローラを備えており、前記制御手段は、前記カード処理ユニットでカード状記録媒体の処理中、前記搬送ローラの駆動を実行しないことを特徴とする。
【００１２】
このような構成によれば、カード処理ユニットでカード状記録媒体の処理が行なわれている間、遊技者が紙幣挿入口に紙幣を挿入しようとしても、搬送ローラが駆動されないため、紙幣を挿入することはできず、両遊技媒体の動作処理や制御処理が干渉するようなことはない。
【００１３】
また、上記した目的を達成するために、請求項４に係る発明は、紙幣が挿入可能な紙幣挿入口と、挿入された紙幣の有効性を識別する紙幣識別部とを備えた紙幣処理ユニットと、カード状記録媒体の排出が可能なカード処理口と、カード状記録媒体に遊技価値に関する情報の書き込み、及び／又は読取りが可能な記録媒体処理部とを備えたカード処理ユニットと、を組み込んだ筐体を有する遊技機であって、前記紙幣処理ユニットで紙幣の処理中は、前記カード処理ユニットでカード状記録媒体の処理を停止し、前記カード処理ユニットでカード状記録媒体の処理中は、前記紙幣処理ユニットで紙幣の処理を停止する制御手段を備えたことを特徴とする。
【００１４】
上記した遊技機によれば、遊技者が紙幣を挿入している際には、遊技の精算をすべく、例えば精算ボタンを押下してもカード処理ユニットは処理を行なわず、かつ遊技者が遊技の精算をすべく、例えば精算ボタンを押下してカードの発券処理を行なっている際には、紙幣を挿入しようとしても処理を行なわないため、双方の遊技媒体が搬送経路上で干渉（衝突等）したり、制御処理が干渉することもなく、更には、遊技者の意図と異なった処理を実行することも防止される。
【発明の効果】
【００１５】
本発明の遊技媒体処理装置、及び遊技機によれば、紙幣及びカード状記録媒体のいずれか一方の遊技媒体を処理している間は、他方の遊技媒体の処理を実行しないため、両遊技媒体の処理が互いに干渉したり制御が複雑化することはない。また、遊技者の意図と異なった処理を実行することもないので、遊技者の利便性が損なわれることはない。
【発明を実施するための最良の形態】
【００１６】
以下、本発明に係る遊技媒体処理装置、及びそのような遊技媒体処理装置が組み込まれる遊技機について、その一実施の形態を添付図面に沿って具体的に説明する。なお、以下の実施形態では、遊技機として、スラント型のスロットマシンを例示して説明する。
【００１７】
図１に示すように、本実施形態に係るスロットマシン１は、それぞれ図柄が描かれた３個の回転リール３Ｌ，３Ｃ，３Ｒを横一列に回転可能に配設した遊技領域５を具備した筐体１０を備えている。
【００１８】
前記筐体１０は、着座した状態で前記回転リール３Ｌ，３Ｃ，３Ｒが視認し易いように、水平方向に対して後方側が上昇するように傾斜し、筐体１０に対して開閉可能な開閉扉（その表面側は回転リールが視認できる遊技領域を構成する）１１を備えており、回転リール３Ｌ，３Ｃ，３Ｒは、この開閉扉１１の左右方向略中央領域に位置するように配置されている。また、筐体１０は、開閉扉１１の下方に、開閉扉よりも緩やかな傾斜面を具備した台座部１３を備えており、この台座部１３には、遊技を行なう上で必要とされる各種の操作部材（ＢＥＴボタン、リール回転ボタン、精算ボタン等の各種ボタンやコインを投入する投入口等）が設けられている。なお、操作部材の種類、構成、配置態様については特に限定されることはないが、本発明に関連するカード状記録媒体を発券する際に操作される精算ボタンについては、符号１３ａで示してある。
【００１９】
前記台座部１３の手前側には、略水平面を有するアームレスト１５が設けられており、遊技者が図示されていない椅子に座った状態で、腕をアームレスト１５に載せて台座部１３に設けられた各種の操作部材が操作し易いように構成されている。
【００２０】
また、前記筐体１０は、開閉扉１１の後方側に垂直状態に配置される正面パネル部１７を備えており、ここには、例えば、入賞図柄の組み合せや配当等を表示する配当表１８や、遊技中に遊技の興趣を増大するため、演出用の効果音を発音するスピーカ２０Ｌ，２０Ｒ等が設けられている。
【００２１】
なお、筐体１０には、更に、遊技の興趣を増大するための各種の装置が設けられていても良く、例えば、前記開閉扉１１に、回転リール３Ｌ，３Ｃ，３Ｒが透過して視認できる液晶表示装置１２（透過型の液晶表示装置）を配置し、ここで、遊技に応じて各種の動的な演出画像を表示したり、遊技者が遊技を有利に進めるために必要な情報の表示等を行なうようにしても良い。この場合、透過型の液晶表示装置は、保護ガラス、表示板、液晶パネル、導光板、反射フィルム、蛍光ランプ、及び液晶パネル駆動用のＩＣを搭載したテーブルキャリアパッケージ（ＴＣＰ）等を具備して構成される。
【００２２】
前記筐体１０の一側部には、後述する遊技媒体処理装置３０を保持したユニット１０ａが設置されている。ユニット１０ａは、図に示すように、筐体１０の略半分の高さで、幅方向に薄肉厚な略直方体形状に構成されており、その内部に設置される遊技媒体処理装置３０は、筐体１０内に組み込まれている前記回転リール３Ｌ，３Ｃ，３Ｒによる遊技を制御する遊技装置と電気的に接続されている。この場合、ユニット１０ａは、筐体１０と共に一体化されていても良いが、それ自体単独で遊技媒体処理装置用のユニットとして、筐体１０に対して着脱可能となるように構成されていても良い。なお、遊技媒体処理装置３０は、ユニット１０ａの内部に設けられた係止構造によって、所定の位置に組み込まれた状態で保持される。
【００２３】
前記ユニット１０ａには、その上面及び前面に、それぞれ開放扉１０ｂ及び開放扉１０ｃが回動可能に支持されており、各開放扉１０ｂ，１０ｃを、前面及び上面に亘って略観音開きすることで、遊技媒体処理装置３０を取り出し可能にしている。なお、上面側の開放扉１０ｂには、開口１０ｄが形成されており、後述する遊技媒体処理装置３０の本体部３１に形成される紙幣挿入口３５、及びカード処理口３６を露出させている。また、前面側の開放扉１０ｃには、両開放扉の開放をロックするためのロック機構用の鍵穴１０ｅが設けられている。
【００２４】
次に、図２から図６を参照して、上記スロットマシンに組み込まれる遊技媒体処理装置３０の構成について説明する。これらの図において、図２は、前記遊技媒体処理装置の構成例を示す斜視図、図３は、紙幣挿入口及びカード処理口部分の拡大斜視図、図４は、遊技媒体処理装置の内部構成を示す概略図、図５（ａ）は、カード処理口からカード状の記録媒体が排出される状態を示す斜視図、（ｂ）は、紙幣挿入口にカード状の記録媒体を挿入した状態を示す斜視図、そして、図６は、紙幣識別部に紙幣を挿入した状態を示す図である。
【００２５】
遊技媒体処理装置３０は、紙幣を処理する紙幣処理ユニット３０Ａ、及びカード状の記録媒体（本実施形態ではＩＣカードを用いる）の処理（情報の読取り処理、及び／又は書き込み処理）が可能なカード処理ユニット３０Ｂを備えており、これらのユニットは、本体部３１内に収容されている。
【００２６】
前記本体部３１には、紙幣をストックすると共に、本体部３１に対して取手３３を把持することで手前側に引き出し可能な収容部（金庫）３２が装着されている。また、本体部３１には、くちばし状に突出する媒体受入部３４が形成されており、ここには、紙幣を受け入れる紙幣挿入口３５が形成されると共に、紙幣挿入口３５と略同一箇所に、カードを受け入れたり、排出するカード処理口３６が形成されている。
【００２７】
具体的には、紙幣挿入口３５は、遊技者によって扱われる紙幣が載置され、かつ略水平に挿入方向を案内する平坦状の案内面３５ａに対して直交する方向に開口するように形成されており、カード処理口３６は、案内面３５ａに開口するように形成されている。すなわち、紙幣は、水平方向に向けて紙幣挿入口３５に挿入され、カードは、その経路上において、斜め下方向に向けてカード処理口３６に挿入されるようになっている。この場合、紙幣挿入口３５の案内面３５ａの両サイドには、使用される紙幣の幅に対応するように規制壁３５ｂが形成されており、カード処理口３６は、それよりも幅狭に形成され、カード処理口３６に紙幣を挿入できないようになっている。
【００２８】
前記本体部３１の上面側には、紙幣挿入口３５から挿入された紙幣の有効性を識別する紙幣識別部３７が設置されており、紙幣識別部３７には、紙幣搬送機構を構成する搬送路（搬送ベルト）４０、及びこの搬送路４０に連続設置される搬送ローラ対４０ａ，４０ｂ，４０ｃ，４０ｄが配設されている。これら搬送ローラ対４０ａ，４０ｂ，４０ｃ，４０ｄは、図６に示すように、紙幣識別部３７を構成する開閉可能な開閉部材３７ａと本体部側の平坦状のフレーム３７ｂの夫々に回転可能に支持されており、搬送路４０は、本体部側のフレーム３７ｂに回転可能に支持された搬送ローラ対に巻回されることで構成されている。この場合、前記搬送路４０は、前記案内面３５ａと連続的に形成されると共に、搬送ローラ対４０ｄの後方側で、略直角下方に屈曲されており、紙幣を収容部３２に向けて案内するようになっている。なお、下方に延出する搬送路４０にも、紙幣を搬送する搬送ローラ対４０ｅ，４０ｆが配設されている。
【００２９】
前記紙幣識別部３７には、挿入された紙幣の有効性を判別する機能を有する紙幣識別センサ４２と、カードの挿入を検知することなく、紙幣の挿入を検知する機能を有する紙幣挿入センサ４３が設置されている。このような機能を有する紙幣挿入センサ４３は、挿入される紙幣の幅がカードの幅よりも大きいことに着目し、例えば、幅方向にカード幅より広い間隔で設置され、かつ挿入される紙幣の両端部を検知する光学式のセンサ（前記開閉部材３７ａ及びこれに対向する本体部側のフレーム３７ｂに対向配置される受発光素子）によって構成することが可能である。
【００３０】
具体的には、図６に示すように、案内面３５ａ上で規制壁３５ｂに沿って紙幣Ｍが挿入された場合、その両端のセンサ４３が紙幣を同時に検知すること（両端に設置されたセンサ４３から同時に検知信号が発せられること）で紙幣が通過したことを認識するが、図５（ｂ）に示すように、誤ってカードＣを案内面３５ａに沿って挿入した場合、その幅は、紙幣Ｍの幅よりも小さいことから、両端のセンサ４３が同時に検知信号を発生することはなく、紙幣であることを認識することはない。
【００３１】
前記各搬送ローラ対４０ａ〜４０ｆは、搬送モータ４５及びこれに連結されるギヤトレイン４６を具備する公知の駆動力伝達機構を介して正逆転可能に回転駆動される。また、本体部３１には、制御回路基板（制御手段）４７が設置されており、前記紙幣を識別するセンサ４２からの紙幣の有効性に関する信号、及び前記紙幣挿入センサ４３からの信号を検出して、搬送モータ４５の駆動開始、停止、逆転等の駆動制御を行なう。
【００３２】
具体的には、搬送モータ４５（搬送ローラ対４０ａ，４０ｂ，４０ｃ，４０ｄ）は、両端の紙幣挿入センサ４３が同時に検知信号を発し、かつ紙幣を識別するためのセンサ４２によって紙幣が有効と判断された場合に、挿入された紙幣を収容部側に向けて送り込むように駆動される。また、紙幣挿入口にカードＣを誤って挿入した場合、紙幣挿入センサ４３が同時に検知信号を発することはないので、搬送モータ４５は回転駆動されることはなく、カードの進入を阻止し、紙幣を識別するためのセンサ４２が、紙幣の有効性を判断できなかった場合は、搬送モータ４５は逆向きに回転駆動され、挿入された紙幣を紙幣挿入口３５から排出するように制御する。
【００３３】
前記カード処理ユニット３０Ｂは、前記紙幣の搬送路４０の下方側において、カード処理口３６に連続するカード搬送路３６ａ、及びカード搬送路に沿って連続配設されるピンチローラ５１ａ、搬送ローラ５１ｂ，５１ｃを具備するカード搬送機構を備えている。この場合、カード処理口３６、及びカード搬送路３６ａは、紙幣の搬送路４０に対してカードを斜め下方に案内するように形成されている。
【００３４】
また、カード処理ユニット３０Ｂは、前記カード搬送路３６ａに設置され、搬送路に案内されたカードに対する情報の読取りや書き込みが行なえるカードリーダライタ（記録媒体処理部）５５を備えている。この場合、カードリーダライタ５５は、挿入されるＩＣカードに記録されている情報（遊技媒体情報等）を読み取ったり、そのような情報を新たに書き込む等の機能を備えている。
【００３５】
前記ピンチローラ５１ａ及び搬送ローラ対５１ｂ，５１ｃは、搬送モータ５６及びこれに連結されるギヤトレインを具備する公知の駆動力伝達機構（図示せず）を介して正逆転可能に回転駆動される。この場合、搬送モータ５６は、前記制御回路基板４７において、カードの挿入を検知したセンサ（図示せず）からの検出信号や、書き込み終了信号を検知することで駆動制御される。
【００３６】
また、上記したカード処理ユニット３０Ｂは、カード収容部６０を備えている。このカード収容部６０には、予め多数のカードが収容されており、遊技者に対してカードリーダライタ５５においてペイアウト情報を記録して発行するようになっている。このため、カード収容部６０には、前記制御回路基板４７によって駆動制御される上下動駆動モータ５７が設置されており、カードが排出される毎に最上にあるカードを前記搬送ローラ対５１ｂ，５１ｃに常時当て付けるように駆動することで、ペイアウト情報を記録したカードの発行が可能となっている。
【００３７】
なお、カード収容部６０は、上記したような発券機能を持たせたものであっても良いが、単に使用済みのカードを回収する回収ボックスとしての機能を持たせたものであっても良い。
【００３８】
前記紙幣を収容する収容部３２の上面には、本体部３１に設置された際、本体部に配設されている搬送路４０に対応する位置に紙幣受入孔３２ａが形成されており、前記紙幣識別部３７において有効と識別された紙幣は、順次、紙幣受入孔３２ａを介して、収容部３２内に積層収容される。また、収容部３２の下面には、内部にストックされた紙幣を取り出すための開閉蓋３２ｂが設けられており、この開閉蓋３２ｂは、ヒンジ部３２ｃを中心にして開放されるようになっている。
【００３９】
前記収容部３２の内部には、順次送り込まれる紙幣を積層収容させるためのストック機構が配設されており、本体部３１には、このストック機構を駆動するための紙幣押圧駆動機構が配設されている。
【００４０】
前記ストック機構は、紙幣を支持する支持板７０と、これを矢印Ａ方向に付勢する圧縮バネ７１と、紙幣受入孔３２ａから搬入される紙幣を支持板７０側に押し込む押し込み板７２と、この押し込み板７２を矢印Ｂ方向、及び矢印Ｃ方向に移動可能となるように両端が軸支された一対のアーム部材７３ａ，７３ｂとを備えている。各アーム部材７３ａ，７３ｂは、押し込み板７２に連結されると共に、後述する紙幣押圧駆動機構における往復作動棒と当接される受け板７５に連結されており、平行クランク機構としての機能を備えている。
【００４１】
前記紙幣押圧駆動機構は、駆動モータ８０と、矢印Ａ方向、及びＢ方向に往復駆動される往復作動棒８１とを備えており、駆動モータ８０と往復作動棒８１との間には、ギヤトレインによって構成される動力伝達機構８５、及び往復作動棒８１に連結され、ギヤの回転運動を往復運動に変換するカム機構８６が配設されている。
【００４２】
前記駆動モータ８０は、上記した制御回路基板４７によって駆動が制御され、搬送路４０から紙幣受入孔３２ａを介して紙幣が搬入される毎に駆動される。すなわち、紙幣が支持板７０と押し込み板７２との間の空間Ｓに搬入されると、駆動モータ８０が回転駆動され、上記した動力伝達機構８５、及びカム機構８６を介して往復作動棒８１が矢印Ｂ方向に駆動される。この往復作動棒８１の先端部には、ローラ８１ａが支持されており、収容部３２に形成された孔を介して前記受け板７５に当接し、受け板７５を矢印Ｂ方向に摺動させる。これに伴い、押し込み板７２は、受け板７５と一体的にアーム部材７３ａ，７３ｂを介して矢印Ｂ方向に駆動されると共に、矢印Ｃ方向に駆動され、紙幣を圧縮バネ７１の付勢力に抗して支持板７０に当て付ける。この場合、紙幣が湾曲していても、押し込み板７２が矢印Ｃ方向に駆動されることから、紙幣は矯正されて支持板７０に当て付けられる。なお、紙幣には、支持板７０に作用する圧縮バネ７１からの付勢力が作用するが、最上の紙幣が、収容部３２の両側壁部分にリブ状に形成された一対の規制壁３２ｄに当て付くことで、積層、収容状態が維持される。
【００４３】
図７は、上記した制御回路基板（制御手段）４７の一構成例を示すブロック図である。  
制御回路基板４７は、上述した搬送モータ４５，５６、上下動駆動モータ５７、駆動モータ８０、及びリーダライタ５５等、各種の駆動装置の制御動作機能を有するＣＰＵ１００、上記した各種の駆動装置の作動プログラムを格納したプログラムＲＯＭ１０１、及び制御ＲＡＭ１０２を備えて構成されている。
【００４４】
前記ＣＰＵ１００には、Ｉ／Ｏポート１０５を介して、上記した各種の駆動装置を駆動するための搬送モータ駆動回路１１０、上下動駆動モータ駆動回路１１１、リーダライタ駆動回路１１２、駆動モータ駆動回路１１３が接続されており、各駆動装置は、作動プログラムに従って、ＣＰＵ１００からの制御信号により動作が制御される。また、ＣＰＵ１００には、Ｉ／Ｏポート１０５を介して、紙幣挿入センサ４３からの検知信号、及び紙幣識別センサ４２からの紙幣の有効性に関する識別信号、及び遊技機本体に配設された遊技処理を実行する制御回路３００からの遊技媒体に関する情報信号（上述した精算ボタン１３ａが押下されることによって発せられる）が入力されるようになっており、これらの信号を受信することで、上記した各駆動装置の駆動を以下のように制御する。
【００４５】
（１）遊技者が図１に示す精算ボタン１３ａを押下した場合、上記したカード処理ユニット３０Ｂは、遊技機側から送信される遊技媒体の価値に関する情報について、リーダライタ５５を駆動してＩＣカードに書き込み処理を行なうと共に、搬送モータ５６を駆動して発券処理を行なう。この場合、ＣＰＵ１００は、カードの発券処理が終了する前に、上記した紙幣挿入センサ４３が紙幣の挿入を検知しても、その処理を停止すべく（ここでの「停止」は、紙幣の受付処理を実行しないことを意味する）、上記した搬送モータ４５を駆動しないように制御する。すなわち、精算ボタン１３ａを押下して発券処理が実行されている間は、たとえ遊技者が紙幣挿入口３５に紙幣を挿入しても、その操作は無効化され、紙幣を受け付けることはない。
【００４６】
（２）一方、遊技者が紙幣挿入口３５に紙幣を挿入した場合、上記した紙幣処理ユニット３０Ａは、紙幣の有効性を判断し、有効であれば、搬送モータ４５及び駆動モータ８０を駆動して、紙幣を収容部３２に向けて搬送すると共に、その遊技媒体の価値に関する情報を遊技機側制御回路３００に送信する（有効性が確認できない場合は、搬送モータ４５を逆転駆動し挿入された紙幣を排出する）。この場合、ＣＰＵ１００は、紙幣の収容処理が終了する前に精算ボタン１３ａが押下されても、その処理を停止すべく（ここでの「停止」は、発券処理を実行しないことを意味する）、上記したリーダライタ５５、上下動駆動モータ５７、搬送モータ５６を駆動しないように制御する。すなわち、紙幣を紙幣挿入口に挿入してその処理が実行されている間は、たとえ遊技者が精算ボタン１３ａを押下しても、その操作は無効化され、カードによる発券は行なわれない。
【００４７】
なお、上記した（１）及び（２）の制御処理は、遊技機の構成や遊技媒体処理装置の構成に応じて、いずれか一方が行なわれるような構成であっても良い。
【００４８】
上記した遊技媒体処理装置３０によれば、以下のような作用効果が得られる。
【００４９】
遊技者が、２つの遊技媒体である紙幣、又はカードの処理を実行する場合、一方の遊技媒体を処理している間は、他方の遊技媒体の処理を停止する（処理を実行しない）ため、遊技者の意図と異なるような処理を行なってしまうようなことがなくなる。すなわち、両方の遊技媒体を平行して一義的に処理すると、遊技者の意図に反する処理が成されることも有り得るが、上記したように、一方の遊技媒体の処理中は、他方の遊技媒体の処理を行なわないように制御することで、そのような不都合が生じることはなく、遊技者に対する利便性を損なうことはない。また、平行して遊技媒体の処理操作を行なわないことから、遊技媒体の動作や制御が干渉したり、複雑化するようなこともない。
【００５０】
また、上記した遊技媒体処理装置では、遊技媒体処理装置３０の本体部３１に紙幣処理ユニット３０Ａ、及びカード処理ユニット３０Ｂを組み込んでいるため、これらを別々のユニットとしてスロットマシンに設置する必要がなくなり、この結果、スロットマシンの筐体を大型化することなく、スペースを有効活用することが可能となる。特に、紙幣挿入口とカード処理口を一体的に形成して、両方の処理ユニットを近接した位置に配置したことから、効果的に装置を小型化できると共に、各遊技媒体を取り扱う遊技者の利便性の向上が図れるようになる。
【００５１】
また、上述した実施形態のスロットマシン１では、遊技媒体処理装置３０を、筐体１０に対して着脱可能なユニット１０ａ内に設置したことで、筐体１０を、遊技領域５を中心として略左右対称形状に構成することが可能となり、これにより外観デザインが向上すると共に、そのようなユニットを必要に応じて各種の遊技機の筐体に装着することも可能となる。もちろん、上記した遊技媒体処理装置３０は、スロットマシンの内部に組み込まれた構成であっても良い。
【００５２】
以上、本発明の実施形態について説明したが、本発明は、上記した実施形態に限定されることはなく、例えば、以下のように構成することが可能である。
【００５３】
遊技媒体処理装置３０内に組み込まれる紙幣処理ユニット３０Ａ、及びカード処理ユニット３０Ｂの各構成部材、及びその配置箇所については適宜変形することが可能である。例えば、紙幣挿入口とカード処理口を一つの挿入口として共通化しても良く、このような構成では、紙幣及びカードの搬送経路上にカードリーダライタを配置したり、或いは、紙幣とカードの搬送経路上に切換弁等を設置しておき、挿入される媒体に応じて搬送経路を切換えるようにしておけば良い。そして、このような構成では、一方の遊技媒体が処理されている間は、他方の遊技媒体を処理することはないので、遊技媒体同士が搬送経路上でぶつかるようなことも無い。
【００５４】
また、一方の遊技媒体が処理されている間、他方の遊技媒体の処理を停止する手法として、例えば、シャッタ部材等を配置して処理を停止するように制御しても良い。例えば、カードが処理されている間、紙幣挿入口をシャッタ部材等によって紙幣が挿入されないように閉塞するような構成であっても良い。また、他方の遊技媒体の停止処理を解除するタイミングについては、タイマ等によって設定する等、適宜変形することが可能である。
【００５５】
また、本実施形態では、遊技媒体処理装置から、紙幣が収容される部分（収容部３２）を本体部から着脱可能に構成したが、本体部に一体化されているような構成であっても良く、収容部内に搬入される紙幣の積層処理方法については、図４に示した構成に限定されることはなく種々変形することが可能である。
【００５６】
さらに、カード処理ユニットで使用されるカード状の記録媒体については、本実施形態のようなＩＣカードに限定されることはなく、光学的なカード、磁気的なカード、光磁気的なカード等を用いるように構成しても良い。
【産業上の利用可能性】
【００５７】
本発明は、スロットマシン以外にも各種の遊技機に適用することが可能である。また、上記した遊技媒体処理装置は、遊技機以外にも、各種の自動販売機のような外部装置に設置することが可能である。
【図面の簡単な説明】
【００５８】
【図１】本発明に係る遊技機の一構成例を示す斜視図。
【図２】本発明に係る遊技媒体処理装置の構成例を示す斜視図。
【図３】紙幣挿入口及びカード処理口部分の拡大斜視図。
【図４】遊技媒体処理装置の内部構成を示す概略図。
【図５】（ａ）は、カード処理口からカード状の記録媒体が排出される状態を示す斜視図、（ｂ）は、紙幣挿入口にカード状の記録媒体を挿入した状態を示す斜視図。
【図６】紙幣識別部に紙幣を挿入した状態を示す図。
【図７】遊技媒体処理装置に設置される制御回路基板（制御手段）の一構成例を示すブロック図。
【符号の説明】
【００５９】
１  スロットマシン（遊技機）
１０  筐体
３０  遊技媒体処理装置
３０Ａ  紙幣処理ユニット
３０Ｂ  カード処理ユニット
３１  本体部
３２  収容部（金庫）
３５  紙幣挿入口
３６  カード処理口
３７  紙幣識別部
４７  制御回路基板
５５  カードリーダライタ（記録媒体処理部）
【図１】
2005296255.tif 000003
【図２】
2005296255.tif 000004
【図３】
2005296255.tif 000005
【図４】
2005296255.tif 000006
【図５】
2005296255.tif 000007
【図６】
2005296255.tif 000008
【図７】
2005296255.tif 000009